(57)【要約】      （修正有）【課題】インキュベータ（培養庫）にあって、培養（貯蔵）室内に培養庫外の空気が進入することを防止することができる培養庫を提供すること。【解決手段】前面に開口を有する断熱箱本体と、当該断熱箱本体に開閉自在に取り付けられる断熱扉と、前記開口を開閉自在に閉塞する透明内扉と、当該内扉と断熱箱本体とで囲まれ細胞や微生物等の試料の培養を行う貯蔵室とからなり、前記断熱箱本体は、金属製の外箱と、金属製の内箱と、外箱と内箱の間で外箱の内側に配置される断熱材と、当該断熱材よりも内側に配置される空気層とを備えた培養庫であって、さらに、培養庫の外側空間の圧力よりも貯蔵室の圧力を高くしたもの。【選択図】図３
2005095097.tif 000002
【特許請求の範囲】
【請求項１】
前面に開口を有する断熱箱本体と、当該断熱箱本体に開閉自在に取り付けられる断熱扉と、前記開口を開閉自在に閉塞する透明内扉と、当該内扉と断熱箱本体とで囲まれ細胞や微生物等の試料の培養を行う貯蔵室とからなり、前記断熱箱本体は、金属製の外箱と、金属製の内箱と、外箱と内箱の間で外箱の内側に配置される断熱材と、当該断熱材よりも内側に配置される空気層とを備えた培養庫において、培養庫の外側空間の圧力よりも貯蔵室の圧力を高くしたことを特徴とする培養庫。
【請求項２】
一端開口が前記空気層に位置し、多端開口が培養庫の外側空間に位置する排気ファン付きの排気管を設けたことを特徴とする請求項１に記載の培養庫。
【請求項３】
前記排気管には、除菌用の排気フィルタを設けたことを特徴とする請求項２に記載の培養庫。
【請求項４】
一端開口が前記貯蔵室に位置し、多端開口が培養庫の外側空間に位置する吸気ポンプ付きの吸気管を設けたことを特徴とする請求項１に記載の培養庫。
【請求項５】
前記吸気管の吸気ポンプよりも貯蔵室側に除菌用の吸気フィルタを設けたことを特徴とする請求項４に記載の培養庫。
【請求項６】
前記内箱の底面及び左右両側面の各外側には、貯蔵室を加熱するヒータを配置し、前記内箱の底面には加湿水を貯溜する加湿皿を配置したことを特徴とする請求項１に記載の培養庫。
【請求項７】
前記ヒータは、内箱の底面に配置されるものと、内箱の左右両側面に配置されるものとを、別回路で構成したことを特徴とする請求項６に記載の培養庫。
【請求項８】
前面に開口を有する断熱箱本体と、前記開口を開閉自在に閉塞する透明内扉と、当該内扉と断熱箱本体とで囲まれ細胞や微生物等の試料の培養を行う貯蔵室とからなり、当該貯蔵室には、貯蔵室の空気を循環させる空気通路と、当該空気通路に配置される循環ファンとを備えた培養庫において、一端開口が前記空気通路に位置し、多端開口が培養庫の外側空間に位置する吸気ポンプ付きの吸気管を設けたことを特徴とする培養庫。
【請求項９】
前面に開口を有する断熱箱本体と、当該断熱箱本体に開閉自在に取り付けられ前記開口を開閉自在に閉塞する透明内扉と、当該内扉と断熱箱本体とで囲まれ細胞や微生物等の試料の培養を行う貯蔵室とからなり、前記断熱箱本体は、金属製の外箱と、金属製の内箱と、外箱と内箱の間で外箱の内側に配置される断熱材と、当該断熱材よりも内側に配置される空気層とを備えた培養庫において、前記断熱箱本体には、培養庫の外側空間を前後に仕切る隔壁を設けたことを特徴とする培養庫。
【請求項１０】
前記培養庫の隔壁よりも後方の空間の圧力を前記貯蔵室の圧力よりも低くしたことを特徴とする請求項９に記載の培養庫。
【請求項１１】
前記断熱箱本体の間口には、前記内扉と本体をシールするシール部材を備えたことを特徴とする請求項９に記載の培養庫。
【発明の詳細な説明】
【技術分野】
【０００１】
本発明は、細胞や微生物などの培養物（試料）を培養する培養庫としての炭酸ガス（ＣＯ2）インキュベータやマルチガスインキュベータに関するものである。
【背景技術】
【０００２】
インキュベータ（培養庫）は、内部（培養室内）の温度やＣＯ2濃度を一定に保持し、内部を無菌状態として培養対象としての細胞や微生物などの培養物（試料）を培養するものであるため、その内部は定期的な滅菌処理が必要となる。また、試料の培養にあたっては、培養室（貯蔵室）内の温度調節用に、加熱ヒータ及びその制御装置を設けている。
【０００３】
他方、特許文献１、２に示されるように、培養庫の庫外と培養室との断熱のため及び自然対流による熱伝達促進のために、培養庫における培養室の周囲に、空気層（エアージャケット）を設けたものがあった。
【特許文献１】特開平８−３２２５５２号公報
【特許文献２】特開２０００−１６６５３６号公報
【発明の開示】
【発明が解決しようとする課題】
【０００４】
一方、インキュベータの庫内には、培養対象としての大切かつ貴重な細胞や微生物などが入れられて培養されるものの、上記エアージャケットと培養室とを区画する金属製の内箱には、複数の継ぎ目や無数の微笑の孔が存在するため、このエアージャケットと培養室とが空気的には遮蔽されていなかった。このため、内扉の開閉操作や空気的な非遮蔽等の事情により、培養室内に外部から汚染された空気が出入りすることを阻止できず、培養のたびに殺菌処理を行ったとしても、進入による汚染された空気にて、培養予定の試料（培養物）に雑菌が繁殖したり、正常な試料を培養できなくなるといった懸念があった。また、インキュベータはＣＯ2ガスを培養室内に注入することがあるため、注入に伴う圧力変動によりある程度のガスリークが必須条件となっていた。
【０００５】
本発明は、このようなインキュベータ（培養庫）にあって、培養（貯蔵）室内に培養庫外の空気が進入することを防止することができる培養庫を提供することを目的とする。また、これに加えて、本発明は、培養庫の後方から前方へ向けた外気の進入を阻止することを目的とするものである。
【課題を解決するための手段】
【０００６】
請求項１の発明の培養庫（１）は、前面に開口（２Ａ）を有する断熱箱本体（２）と、当該断熱箱本体（２）に開閉自在に取り付けられる断熱扉（３）と、前記開口（２Ａ）を開閉自在に閉塞する透明内扉（７）と、当該内扉（７）と断熱箱本体（２）とで囲まれ細胞や微生物等の試料の培養を行う貯蔵室（４）とからなり、前記断熱箱本体（２）は、金属製の外箱（１１）と、金属製の内箱（１２）と、外箱（１１）と内箱（１２）の間で外箱の内側に配置される断熱材（１４）と、当該断熱材（１４）よりも内側に配置される空気層（１５）とを備え、培養庫（１）の外側空間の圧力よりも貯蔵室（４）の圧力を高くしたものである。
【０００７】
請求項２の発明の培養庫（１）は、一端開口（２１Ａ）が前記空気層（１５）に位置し、多端開口（２１Ｂ）が培養庫（１）の外側空間（２４）に位置する排気ファン（２２）付きの排気管（２１）を設けたものである。
【０００８】
請求項３の発明の培養庫（１）は、排気管（２１）には、除菌用の排気フィルタ（２３）を設けたものである。
【０００９】
請求項４の発明の培養庫（１）は、一端開口（３１Ｂ）が貯蔵室（４）に位置し、多端開口（３１Ａ）が培養庫の外側空間（３４）に位置する吸気ポンプ（３２）付きの吸気管（３１）を設けたものである。
【００１０】
請求項５の発明の培養庫（１）は、吸気管（３１）の吸気ポンプ（３２）よりも貯蔵室側に除菌用の吸気フィルタ（３３）を設けたものである。
【００１１】
請求項６の発明の培養庫（１）は、内箱（１２）の底面及び左右両側面の各外側には、貯蔵室（４）を加熱するヒータ（１３Ａ），（１３Ｂ）を配置し、前記内箱（１２）の底面には加湿水を貯溜する加湿皿（６）を配置したものである。
【００１２】
請求項７の発明の培養庫（１）は、加熱手段（１３）は、内箱の底面に配置されるヒータ（１３Ａ）と、内箱の左右両側面に配置されるヒータ（１３Ｂ），（１３Ｂ）とを、別回路で構成したものである。
【００１３】
請求項８の発明の培養庫（１）は、前面に開口（２Ａ）を有する断熱箱本体（２）と、前記開口（２Ａ）を開閉自在に閉塞する透明内扉（７）と、当該内扉（７）と断熱箱本体（２）とで囲まれ細胞や微生物等の試料の培養を行う貯蔵室（４）とからなり、当該貯蔵室（４）には、貯蔵室の空気を循環させる空気通路（１７）と、当該空気通路（１７）に配置される循環ファン（１８）とを備え、一端開口（３１Ｂ）が前記空気通路（１７）に位置し、多端開口（３１Ｂ）が培養庫の外側空間（３４）に位置する吸気ポンプ（３２）付きの吸気管（３１）を設けたものである。
【００１４】
請求項９の発明の培養庫（１）は、前面に開口（２Ａ）を有する断熱箱本体（２）と、当該断熱箱本体（２）に開閉自在に取り付けられ前記開口（２Ａ）を開閉自在に閉塞する透明内扉（７）と、当該内扉（７）と断熱箱本体（２）とで囲まれ細胞や微生物等の試料の培養を行う貯蔵室（４）とからなり、前記断熱箱本体（２）は、金属製の外箱（１１）と、金属製の内箱（１２）と、外箱（１１）と内箱（１２）の間で外箱の内側に配置される断熱材（１４）と、当該断熱材（１４）よりも内側に配置される空気層（１５）とを備え、前記断熱箱本体（２）には、培養庫の外側空間（４１），（４２）を前後に仕切る隔壁（４０）を設けたものである。
【００１５】
請求項１０の発明の培養庫（１）は、培養庫（１）の隔壁（４０）よりも後方の空間（４２）の圧力を貯蔵室（４）の圧力よりも低くしたものである。
【００１６】
請求項１１の発明の培養庫（１）は、断熱箱本体（２）の間口には、透明内扉（７）と本体（２）とをシールするシール部材（２Ｂ）を備えたものである。
【発明の効果】
【００１７】
以上詳述した如く請求項１の発明によれば、培養庫（１）の外側空間（２４）の圧力よりも貯蔵室（培養室）（４）の圧力が高いため、培養室内の空気がその周囲に形成されている空気層（１５）に排出されることはあっても、当該空気層（１５）から培養室（４）への空気侵入が阻止される。したがって、培養庫（１）の外側空間から培養室（４）へ向けた空気の流れが発生することがなく、汚染された外気侵入を防止できる。
【００１８】
以上詳述した如く請求項２の発明によれば、排気管（２１）により空気層（１５）の空気を排気するので、培養室（４）に比べて空気層（１５）の圧力を低くすることができ、内箱（１２）に仮に小さい孔があったとしても、培養室（４）の空気が空気層（１５）に漏れ出ることはあっても、空気層（１５）の空気が培養室（４）に侵入することを阻止できる。
【００１９】
以上詳述した如く請求項３の発明によれば、排気フィルタ（２３）により排気管（２１）を通して外部に排出される空気層（１５）内の空気を除菌することができるため、仮に雑菌の繁殖した培養室（４）からの空気が空気層（１５）に漏れ出たとしても、除菌した状態で培養庫（４）の外部に排出することが可能となり、培養庫として安全面及び衛生面で有効である。
【００２０】
以上詳述した如く請求項４の発明によれば、吸気管（３１）により貯蔵室（培養室）（４）の圧力を培養庫外の空気圧力よりも高くすることができる。このため、培養室（４）から空気層（１５）若しくは庫外空間（３４）へ向けて培養室（４）内の空気を導くことが可能となり、培養庫（１）として安全面及び衛生面で非常に有効である。
【００２１】
以上詳述した如く請求項５の発明によれば、吸気ポンプ（３２）により培養室（４）内へ導かれる空気を吸気フィルタ（３３）によって除菌することができ、庫外（３４）から仮に雑菌の繁殖した空気を導入したとしても、当該フィルタ（３３）によって除菌した状態で、培養室（４）へ案内することが可能となり、培養庫（１）としての安全性が向上する。
【００２２】
以上詳述した如く請求項６の発明によれば、内箱（１２）に設けた加熱ヒータ（１３Ａ），（１３Ｂ）の熱を、金属製の内箱（１２）の熱伝達により培養室（４）内に広範囲に亙って案内すると共に、空気層（１５）の空気を利用した空気の自然対流を生じせしめて、ヒータのない面へ向けても空気伝達により加熱を実践することができる。しかも、加熱ヒータ（１３Ａ）の熱を加湿皿（６）の加熱に活用することで、培養室（４）内の温度に加えて湿度をも調整することができる。
【００２３】
以上詳述した如く請求項７の発明によれば、内箱の底面に配置されるヒータ（１３Ａ）と、内箱の左右両側面に配置されるヒータ（１３Ｂ）とを別回路で構成することにより、培養室（４）内の加熱と独立して、加湿皿（６）の加熱制御を行うことが可能となり、培養庫（１）の温度及び湿度の調節が行いやすくなる。
【００２４】
以上詳述した如く請求項８の発明によれば、吸気ポンプ（３２）により導かれる空気を、直接培養室（４）ではなく空気通路（１７）に案内することができるため、空気通路（１７）の空いたスペースがあれば、吸気フィルタ（３３）を配置することも可能であり、空気通路（１７）自身を外部空気のクッション（流入空間）として有効活用でき、吸気管３１で方向づけられる流入空気により空気通路（１７）における空気の対流を実現できるため、吸気ポンプ（３２）の作動中には循環ファン（１８）を停止することが可能となる。
【００２５】
以上詳述した如く請求項９の発明によれば、培養庫の外側空間を前後に仕切る隔壁（４０）を設けたことにより、当該隔壁（４０）によって、培養庫（１）の外側空間（特に、隔壁後方から前方に向けた）の空気対流を防止することができ、仮に庫外の空気に雑菌が混入していたとしても、当該隔壁（４０）により培養庫（１）の前方への流入を確実に遮断・防止することが可能となる。
【００２６】
以上詳述した如く請求項１０の発明によれば、培養庫（１）の隔壁（４０）よりも後方の空間（４２）の圧力を前記貯蔵室（４）の圧力よりも低くすることにより、貯蔵室（４）から隔壁（４０）後方の空間（４２）への空気流を形成することが可能となり、逆に、隔壁（４０）後方の空間（４２）から貯蔵室（４）へ向けた外気の流入を阻止することができ、培養庫（１）としての安全性がより向上する。
【００２７】
以上詳述した如く請求項１１の発明によれば、透明内扉（７）と本体（２）とをシールするシール部材（２Ｂ）により、断熱箱本体（２）の間口から内扉（７）の外部に向けた空気漏れ、及び内扉（７）の外部から間口を通じて培養室（４）内への外気流入を阻止することができる。
【発明を実施するための最良の形態】
【００２８】
以下、図面に基づき本発明の実施例を詳述する。図１は本発明の断熱扉を開いた状態のインキュベータ（培養庫）の斜視図、図２は制御装置と加熱ヒータを設けたインキュベータを正面から見た断面図、図３は本発明の第１実施例を示すインキュベータを右側から見た断面図、図４は本発明の第２実施例を示すインキュベータを右側から見た断面図、図５は本発明の第３実施例乃至第５実施例を示すインキュベータを右側から見た断面図をそれぞれ示している。
【実施例１】
【００２９】
本発明の第一の実施形態におけるインキュベータ１は、図１、図２及び図３に示すように左開き式の扉を備えるものであり、前面に開口２Ａを有する断熱箱本体２と、この開口２Ａを開閉自在に閉塞する断熱扉３とでその内部に培養室４を形成している。この培養室４の内部は、複数の棚５により上下に区画されている。培養室の底面には、加湿用の水を貯溜する加湿皿６が配置され、金属例えばステンレス製の内箱１２の底面外側に配置された加熱手段１３Ｂにより加熱されて水を蒸発させる。
【００３０】
７は、前面開口２Ａを開閉する透明な内扉である。７Ｂは、内扉７を断熱箱本体２に対して開閉自在に固定するための上下一対のヒンジである。８は、断熱扉３を断熱箱本体２に対して開閉自在に固定するための上下一対のヒンジ（ここでは、外側から取り付けられるので外ヒンジ）であり、９は断熱扉の裏面に設けられ断熱扉３と断熱箱本体２と密着シールする磁石付きのガスケットである。断熱箱本体２の間口には、透明内扉７と本体２とをシールするシール部材２Ｂを備えたものである。
【００３１】
図３において、断熱箱本体２は、金属製の外箱１１と、ステンレス製の内箱１２と、外箱１１と内箱１２の間で外箱１１の内側に配置される断熱材１４と、当該断熱材１４よりも内側に配置される空気層１５とを備える。
貯蔵室４を形成する内箱１２の左右両側面には、貯蔵室を加熱するための加熱ヒータ１３Ｂが配置される。また、内箱１２の底面及び背面に対してある一定の間隔を存して仕切板１６が配置され、この仕切板１６と内箱１２の底面及び背面により貯蔵室４の空気を循環させる空気通路１７を形成している。加湿皿６はこの空気通路１７内に配置している。
【００３２】
当該空気通路１７には循環ファン１８が配置され、貯蔵室４の温度あるいは湿度を検出する温度センサ１９Ａ、湿度センサ１９Ｂが配置され、これら循環ファン１８、温度センサ１９Ａ、湿度センサ１９Ｂ、加熱ヒータ１３Ａ，１３Ｂ等は、制御装置Ｓにより制御される。加熱手段１３は、内箱の底面に配置される加熱ヒータ１３Ａと、内箱の左右両側面に配置される加熱ヒータ１３Ｂ，１３Ｂとを、別回路で構成している。各棚５には、内部に細胞や微生物等の試料を収納した蓋付きのガラス製の容器２０が載置される。
【００３３】
図３に示すインキュベータ１は、その外側空間の圧力よりも貯蔵室４の圧力を高くするために、一端開口２１Ａが前記空気層１５に位置し、多端開口２１Ｂが培養庫１の外側空間２４に位置する排気ファン２２付きの排気管２１を設け、排気管２１の排気ファン２２よりも下流側には、除菌用の排気フィルタ２３を設けたものである。
これら排気管２１、排気ファン２２及び排気フィルタ２３により、圧力調整手段２５を構成している。
【００３４】
図３において、圧力調整手段２５における排気ファン２２及び排気フィルタ２３を共に培養庫１の庫外側に配置することで、圧力調整手段の取付作業やメンテナンス作業を、庫外側から独立して行うことができるようにしている。
【００３５】
当該第一実施例の圧力調整手段２５によれば、インキュベータ（培養庫）１の外側空間２４の圧力よりも貯蔵室（培養室）４の圧力が高いため、培養室内の空気がその周囲に形成されている空気層１５に排出されることはあっても、当該空気層１５にある空気が培養室４へ侵入するのが阻止される。したがって、培養庫１の外側空間２４から培養室４へ向けた空気の流れが発生することがなくなり、汚染された外気の侵入を防止できる。また、排気管２１により空気層１５の空気を排気するので、培養室４に比べて空気層１５の圧力を低くすることができ、内箱１２に仮に小さい孔があったとしても、培養室４の空気が空気層１５に漏れ出ることはあっても、空気層１５の空気が培養室４に侵入することを阻止できる。さらに、排気フィルタ２３により排気管２１を通して外部に排出される空気層１５内の空気を除菌することができるため、仮に雑菌の繁殖した培養室４からの空気が空気層１５に漏れ出たとしても、当該空気を除菌した状態で培養庫４の外部に排出することが可能となり、培養庫として安全面及び衛生面で有効である。そして、断熱箱本体２の間口に設けたシール部材２Ｂにより、透明内扉７と本体２とを確実にシールすることができ、断熱扉３の開閉操作に伴う貯蔵室（培養室）４への外気の進入を抑制でき、培養室における安定した培養を実現できる。
【００３６】
内箱１２に設けた加熱ヒータ１３Ａ，１３Ｂの熱を、金属製の内箱１２の熱伝達により培養室４内に広範囲に亙って案内すると共に、空気層１５の空気を利用した空気の自然対流を生じせしめて、ヒータのない面へ向けても空気伝達により加熱を実践することができる。しかも、加熱ヒータ１３Ａの熱を加湿皿６の加熱に活用することで、培養室内の湿度を調整することができる。また、内箱の底面に配置されるヒータ１３Ａと、内箱の左右両側面に配置されるヒータ１３Ｂとを別回路で構成することにより、培養室４内の加熱と独立して加湿皿６の加熱を行うことが可能となり、培養庫１の温度や湿度の調節が行いやすくなる。
【実施例２】
【００３７】
次に図４に基づき本発明の第二の実施形態を説明するが、第一の実施形態と同じ符号は同じ機能を示すものとする。本発明の第二の実施形態を示す圧力調整手段３５は、図４に示すように、一端開口３１Ａが培養庫１の外側空間３４に位置し、多端開口３１Ｂが培養庫１の貯蔵室４における空気通路１７に位置する吸気ポンプ３２付きの吸気管３１と、吸気管３１の吸気ポンプ３２よりも下流側に設けた除菌用の吸気フィルタ３３とで構成されるものである。
【００３８】
図４において、圧力調整手段３５における吸気ポンプ３２及び吸気フィルタ３３を共に培養庫１の庫外側に配置することで、圧力調整手段３５としての取付作業やメンテナンス作業を、庫外側から独立して行うことができるようにしている。尚、吸気管３１の出口側の端を空気通路１７に臨ませているため、空気通路１７にスペース的なゆとりがあれば、吸気フィルタ３３をこの空気通路に配置することも可能である。また、吸気管３１の出口側の端を、直接貯蔵室４まで延長しても良い。
【００３９】
本第二実施例の圧力調整手段３５によれば、吸気管３１により培養室４の圧力を培養庫１外の空気圧力よりも高くすることができる。このため、培養室４から空気層１５若しくは庫外空間３４へ向けて培養室４内の空気を導くことが可能となり、培養庫として安全面及び衛生面で非常に有効である。また、吸気ポンプ３２により培養室４内へ導かれる空気を吸気フィルタ３３によって除菌することができ、庫外から仮に雑菌の繁殖した空気を導入したとしても、当該フィルタ３３によって除菌した状態で、培養室４へ案内することが可能となり、培養庫１としての安全性が向上する。さらに、吸気ポンプ３２により導かれる空気を、直接培養室４ではなく空気通路１７に案内することができるため、空気通路１７の空いたスペースがあれば、吸気フィルタ３３を配置することも可能であり、空気通路１７自身を外部空気のクッション（流入空間）として有効活用でき、吸気管３１で方向づけられる流入空気により空気通路１７における空気の対流を実現できるため、吸気ポンプ３２の作動中には循環ファン１８を停止することが可能となる。
【実施例３】
【００４０】
次に図５に基づき本発明の第三の実施形態を説明するが、第一の実施形態と同じ符号は同じ機能を示すものとする。本発明の第三の実施形態を示す培養庫１は、図５に示すように、前面に開口を有する断熱箱本体２と、当該断熱箱本体２に開閉自在に取り付けられ前記開口を開閉自在に閉塞する透明内扉７と、当該内扉７と断熱箱本体２とで囲まれ細胞や微生物等の試料の培養を行う貯蔵室４とからなり、前記断熱箱本体２は、金属製の外箱１１と、金属例えば抗菌性を有するステンレス製の内箱１２と、外箱１１と内箱１２の間で外箱の内側に配置される断熱材１４と、当該断熱材１４よりも内側に配置される空気層１５とを備え、前記断熱箱本体２には、培養庫の外側空間４１，４２を前後に仕切る隔壁４０を設けたものである。尚、培養庫１の隔壁４０よりも後方の空間４２の圧力を貯蔵室４の圧力よりも低くするために、一端開口２１Ａが空気層１５に位置し、多端開口２１Ｂが培養庫１の外側空間４２に位置する排気ファン２２付きの排気管２１を設け、排気管２１の排気ファン２２よりも下流側には、除菌用の排気フィルタ２３を設けている。
【００４１】
一方、図５において、隔壁の位置を断熱箱本体２の前端に合わせた例を一点鎖線４０Ｂにて示しており、この隔壁４０Ｂによれば、培養庫１の庫外空間を前方の空間４１と後方の空間４４とに区画できる。この場合、培養庫１をクリーンルームの一壁に貫通させて配置する場合、クリーンルーム内への突出スペースを最小限に食い止めることが可能であり、さらに、培養庫１の取付作業やメンテナンス作業を、庫外側から独立して行うことができ、培養庫１としての汎用性が広がる。
【００４２】
また、隔壁の位置を断熱箱本体２の後端に合わせた例を二点鎖線４０Ｃにて示しており、この隔壁４０Ｃによれば、培養庫１の庫外空間を前方の空間４１と後方の空間４３とに区画できる。この場合、培養庫１をクリーンルームの一壁に貫通させて配置する場合、クリーンルーム外への突出スペースを最小限に食い止めることが可能である。
【００４３】
当該第三の実施形態によれば、培養庫の外側空間を前後に仕切る隔壁４０を設けたことにより、当該隔壁４０によって、培養庫１の外側空間（特に、隔壁後方から前方に向けた）の空気対流を防止することができ、仮に庫外の空気に雑菌が混入していたとしても、当該隔壁４０により培養庫１の前方への流入を確実に遮断・防止することが可能となる。また、培養庫１の隔壁４０よりも後方の空間４２の圧力を前記貯蔵室４の圧力よりも低くすることにより、貯蔵室４から隔壁４０後方の空間４２への空気流を形成することが可能となり、逆に、隔壁４０後方の空間４２から貯蔵室４へ向けた外気の流入を阻止することができ、培養庫１としての安全性がより向上する。
【図面の簡単な説明】
【００４４】
【図１】本発明の断熱扉を開いた状態のインキュベータ（培養庫）の斜視図である。
【図２】本発明の制御装置と加熱ヒータを設けたインキュベータを正面から見た断面図である。
【図３】本発明の第１実施例を示すインキュベータを右側から見た断面図である。
【図４】本発明の第２実施例を示すインキュベータを右側から見た断面図である。
【図５】本発明の第３実施例乃至第５実施例を示すインキュベータを右側から見た断面図である。
【符号の説明】
【００４５】
１  インキュベータ（培養庫）
２  断熱箱本体
３  断熱扉
４  貯蔵室（培養室）
６  加湿皿
７  透明内扉
９  ガスケット
１１  外箱
１２  内箱
１３  加熱手段
１３Ａ  加熱ヒータ（底面）
１３Ｂ  加熱ヒータ（左右側面）
１４  断熱材
１５  空気層（エアージャケット）
１６  仕切板
１７  空気通路
１８  循環ファン
Ｓ  制御装置
２１  排気管
２２  排気ファン
２３  排気フィルタ
２５  圧力調整手段（第一実施例）
３１  排気管
３２  吸気ポンプ
３３  吸気フィルタ
３５  圧力調整手段（第二実施例）
４０  隔壁
【図１】
2005095097.tif 000003
【図２】
2005095097.tif 000004
【図３】
2005095097.tif 000005
【図４】
2005095097.tif 000006
【図５】
2005095097.tif 000007